(57)【要約】【課題】  コンクリート構造物に埋設されているスリーブと、延長用のスリーブとの接続を行う部材の提案。【解決手段】  コンクリート構造物側のスリーブに嵌挿する第１リング部２と、これに連設するフランジ部３と、フランジ部３に連設し延長用のスリーブに嵌挿する第２リング部４とにより接続具１が一体的に構成され、第１リング部２は鋏で切れる程度の薄肉に掲載れ、コンクリート構造物側のスリーブが変形している場合には第１リング部２に鋏等で切れ込みを入れた状態で当該スリーブに嵌挿し、第１リング部２が当該スリーブの変形に追従するようにする。第１リング部２及び各スリーブは何れも接着剤で固定されるため、これらリング部２、４が薄肉であっても十分に高い接続強度を有する。【選択図】        図１
2005344841.tif 000002
【特許請求の範囲】
【請求項１】
コンクリート構造物に埋設配置されたスリーブ等の接続延長を必要とするスリーブと、このスリーブを延長させるための延長用のスリーブとを接続する接続具であって、接続延長を必要とするスリーブに対して嵌挿する第１リング部と、第１リング部に連設するフランジ部と、フランジ部に連設しかつ延長スリーブに嵌挿する第２リング部とが一体的に形成され、このうち少なくとも第１リング部は鋏等の切断具で切れ込みを入れることが可能に構成され、接続延長を必要とするスリーブの断面形状が変形していても第１リング部が当該スリーブに嵌挿可能に構成したことを特徴とする接続具。
【請求項２】
前記第１リング部及び第２リング部のうち少なくとも第１リング部の内周部に対して、リング軸心方向に対して１以上の補強部が突設されていることを特徴とする請求項１記載の接続具。
【請求項３】
コンクリート構造物に埋設配置されたスリーブ等の接続延長を必要とするスリーブと、このスリーブを延長させるための延長用のスリーブとを接続する接続具であって、接続延長を必要とするスリーブに対して嵌挿する第１リング部と、第１リング部に連設するフランジ部と、フランジ部に連設しかつ延長スリーブに嵌挿する第２リング部とが一体的に形成され、第１リング部にはその軸心方向に対して１以上の切れ込みが形成され、接続延長を必要とするスリーブの断面形状が変形していても第１リング部が当該スリーブに嵌挿可能に構成したことを特徴とする接続具。
【請求項４】
第１リング部、フランジ部及び第２リング部を連通して接続具軸心方向に開放部が形成されていることを特徴とする請求項３記載の接続具。
【請求項５】
第１リング部及び第２リング部の外径は嵌挿すべき対象のスリーブ内径よりも大きく形成されていることを特徴とする請求項４記載の接続具。
【発明の詳細な説明】
【技術分野】
【０００１】
本発明はコンクリート構造物の壁部或いは床部等を構成するコンクリート構造部に埋設されたスリーブに対して延長用の別のスリーブや、室内側の部材を接続するための接続具に関する。
【背景技術】
【０００２】
アパートやマンション或いはオフィスビル等のコンクリート構造物においては、外部との通気の確保、エアコンディショナの電源コード、ドレイン管の設置等のため、壁部、床部等のコンクリート構造部に対して構造物内外を連通する空間としてのスリーブが少なからず埋設配置されている。
【０００３】
図７においてコンクリート構造物の構造部２１に埋設されたスリーブ２０は、コンクリート打設時に、コンクリートの打設空間を形成するためのパネルに対してその端部が当接するように配置する必要があるため、当該スリーブ２０の端縁２０ａはコンクリート構造部２１の端面２１ａと同一平面上に位置している。
【０００４】
ここで、住環境向上等の観点からコンクリート構造部２１の端面２１ａから室内側の壁部までの幅は大きくなる傾向にある。例えば、特定の区画或いは部屋の断熱性、防音性を向上させるいために断熱材や防音材を多量に配置することによりその幅はきわめて大きくなる。
【０００５】
このような状態においてスリーブと室内部材とを接続を可能とするための方法として、延長リングと称されるリング状の接続体を用い、その一端をスリーブ２０側に嵌挿し、かつ他端を例えば換気口等の室内側部材の接続リング部に接続することによりスリーブ２０と室内側の部材とを接続する方法が従来から実施されている。
【０００６】
しかし昨今、より一層の防音或いは断熱を実施するための防音材や断熱材の充填量の増加により、またはコンクリート構造物と室内壁部との間に配置する配管或いはケーブル等の設置数の増加等の理由によってコンクリート構造部と室内壁との幅（距離）がより一層大きくなる傾向にあって、前記接続リングを用いても室内側とスリーブとを接続することができない事態がしばしば生じている。
【０００７】
また、図７に示すスリーブ２０はコンクリートの打設時に注入されるセメントの重量、或いは落下注入されるンコンクリートの衝撃等にによってその断面形状が変形してしまう事態が少なからず生じている。このような変形はセメントの固化と共に固定化されるため、前記接続リングの幅が十分あっても、断面が真円形である接続リングを変形したスリーブに嵌挿することが出来ない場合もまた少なからず生じている。
【０００８】
このため、施工現場では図７に示すような一種の応急的処置より、延長用のスリーブ２２をコンクリート構造部２１に埋設されたスリーブ２１に接続する方法がしばしば実施されている。
即ち符号２３のように円筒形にまるめることが可能なプラスチック板材或いは金属板材を符号２３ａのように円筒形にまるめ、かつこの円筒形の周囲に接着剤を塗布したものを前記スリーブ２０と延長スリーブ２２の両方に橋渡しするうよにして両スリーブ２０、２２を接続し、この延長スリーブ２２に対して直接に、或いは前記接続リングを介して間接に室内用部材を延長スリーブ２２に接続する。
【０００９】
この方法によればコンクリート構造部２１に埋設されているスリーブ２０が例え変形していても丸めた接続体は自己の復元力により変形したスリーブ２０の内面になじむため、スリーブ２０と延長スリーブ２２との接続が可能となる。
【００１０】
しかし、接続体２３ａは板状の材料をまるめて応急的に構成したものであるため、接続体としての強度等は十分保証されるものではなく、また手近にこのような材料がなければ接続そのものが不可能となる。
【００１１】
上記の点に鑑み構成された接続部材の先行例は見当たらないが、接続リングを伸縮可能とすることによりコンクリート構造部と室内壁との幅が大きくなった場合に対応することが可能な構造が以下の文献に示されている。しかしこの構造はコンクリートの打設時に摺動部にセメントが浸潤し、コンクリート打設後に伸縮が困難となったり或いは伸縮動作自体が不可能となる可能性がある。また、伸縮の距離は当然限界があり、従って限界値を越えた場合にはやはりより長い延長スリーブを用いる必要がある。
【特許文献１】特開平５−１９５６２０
【発明の開示】
【発明が解決しようとする課題】
【００１２】
コンクリー構造物と室内壁部とを接続する際に、接続リングを用いることが出来ないほどコンクリー構造物と室内壁部との幅がある場合に、従来は板材を曲げてコンクリート構造物側のスリーブと接続スリーブとを連結していたが、一種の応急的処置であるため、接続強度に問題が生じる可能性があり、かつこのような素材がない場合には接続そのものができない。
【課題を解決するための手段】
【００１３】
本発明は上記の課題を解決するために構成したものである。
即ち、本発明はコンクリート構造物側のスリーブに嵌挿する第１リング部と、このリング部よりも大径のフランジ部と、このフランジ部に連設しかつ接続スリーブに嵌挿する第２リング部とから構成される接続具であって、少なくとも第１リング部は、二つのスリーブの接続を行うのに十分な強度と、かつ断面形状が変形しているコンクリート構造物側のスリーブに対して嵌挿可能な程度の変形性を有し、或いは現場において鋏等の切断具で切断可能な肉厚を有していることを特徴とする接続具である。
【発明の効果】
【００１４】
スリーブ用接続具として予め形成されたものを、施工現場において接続具の一部を切除したり、予め形成されている切断部を利用して接続具全体の径を小さくしてスリーブに嵌挿することによりコンクリート構造物側の断面形状が変化しているスリーブに対しても容易に嵌挿可能となり、施工現場において一種類の接続具を用いて様々に変形しているスリーブの接続が可能となる。
【発明を実施するための最良の形態】
【００１５】
接続具は例えば塩化ビニル製とし、第１、第２のリング部の外径が例えば７５ｍｍである場合、これらリング部の肉厚は１ｍｍで十分な接続強度を得ることができる。また肉厚は１ｍｍの塩化ビニルは普通の鋏でも切断可能であり、現場での調整が容易に行え、十分な強度をもってコンクリート構造部に埋設されているスリーブに対して別のスリーブを接続することができる。
【実施例１】
【００１６】
以下本発明の実施例を図面を用いて説明する。図１及び図２は本発明の第１の実施例を示す。
図中の矢印１は接続具の全体を示す。この接続具１は図７のコンクリート構造部２１に埋設されたスリーブ（以下「構造部側スリーブ」とする）２０に嵌挿する第１リング部２と、この第１リング部２に連設しかつ第１リング部２よりも外径が大きいフランジ部３と、このフランジ部３に連接する第２リング部４とから構成されている。換言すれば一体的なリング部がフランジ部３により第１リング部２と第２リング部４に分けられた構成となっている。
【００１７】
接続具１は塩化ビニル等の材料により一体的に構成されている。
この接続具１は第１リング部２と第２リング部４の直径が例えば７３ｍｍの場合、その肉厚Ｔは約１ｍｍと、薄肉に形成されている（図２参照）。
【００１８】
この構成の接続具１を用いて構造部側スリーブ２０と延長スリーブ２２（図７参照）を接続する際において、構造部側スリーブ２０の断面形状が変形している場合、図２に示すように鋏１０等の切断手段を用いて第１リング部２に対してそのリングの軸心方向に切れ込みを入れ、当該第１リング部２の外周面に接着剤を塗布した状態でこの第１リング部２を構造部側スリーブ２０に嵌挿する。第１リング部２に切れ込みが入っているため、第１リング部２を構造部側スリーブ２０に嵌挿すると、第１リング部２は自己の有する変形性と復元性により変形した構造部側スリーブ２０の内面と密着する。一方第２リング部４の外周部にも接着剤を塗布し、延長スリーブ２２に嵌挿し、フランジ部３を介して両スリーブを接続する。
【００１９】
この接続において、第１リング部２に切れ込みを入れた場合、その第１リング部２自体の強度はやや低下するが、接着材により構造部側スリーブ２０に固着して当該構造部側スリーブ２０と構造的に一体化するため、第１リング部２の厚さＴは鋏５等の切断手段で容易に切断できる薄肉であるにも係わらず接続具としての支持強度は十分高く保持することが可能となる。また肉厚のフランジ部３が形成されていることにより使用前においても接続具１全体の強度は保証されている。
【実施例２】
【００２０】
図３及び図４において、符号５は第１リング部２と第２リング部４との内周面において、接続具１の軸心方向に複数本突設した補強部である。また補強部５の形成部分以外の各リング部２及び４の肉厚は前記実施例と同様の薄肉に形成し、鋏等により容易に切断可能に形成されている。
【００２１】
本実施例では補強部５の形成により接続具１全体の強度を高めると共に、補強部５の形成部以外の第１リング部２の肉厚は実施例１の場合のように薄肉に形成してあるため第１リング部２の切り込み等の作業性を良好に保持したままスリーブの接続強度をより高めることができる。
【実施例３】
【００２２】
図中符号６は第１リング部２に対して接続具１の軸心方向に予め形成されている切れ込みであって、平行するよう第１リング部２の円周方向に複数本形成されている。スリーブの接続の際、構造部側スリーブ２０に対しては、第１リング部２の外周壁に接着剤を塗布した後この第１リング部２を構造部側スリーブ２０に嵌挿する。第１リング部２には予め切れ込み６が形成されているため、構造部側スリーブ２０が変形していても、第１リング部２全体がその変形に追従し、当該構造部側スリーブ２０と強固に接続する。
【００２３】
なお、切れ込みを図示の如く複数形成しておけば、構造部側スリーブ２０の変形に対する追従性が高くなるため、第１リング部２の肉厚をやや厚めにして接続具１全体の強度を高くするうよ構成することも可能である。
【実施例４】
【００２４】
図中符号７は接続具１の軸心方向において、第１リング部２、フランジ部３及び第２リング部４を連通して接続具１全体をカットした開放部である。第１リング部２及び第２リング部４の外径Ｄは、接続対象である構造部側スリーブ２０及び延長スリーブ２２の内径よりも予め大きく形成されており、これら各スリーブに第１リング部２及び第２リング部４を嵌挿するときにはこの開放部７を狭めるようにして嵌挿する。
【００２５】
上記のようにしてそれぞれのリング部２、４を嵌挿することにより、各リング部２及び４はその弾発力によりそれぞれのスリーブ内面に接触する。構造部側スリーブ２０が変形しているときは、この弾発力に加えて第１リング部２の変形性（可撓性）によりその変形に追従して変形することによって第１リング部２の内周面に密着する。なお、弾発力を大きく設定しておけば、接着剤を用いずにスリーブの接続をすることも不可能ではないが、安全性を考慮すれば前記各実施例と同様接着剤を用いて接続するのが妥当である。
【産業上の利用可能性】
【００２６】
実施例の如く、コンクリート構造物に埋設配置されたスリーブと他のスリーブとを接続する他、例えば第１リング部２はコンクリート構造物に埋設配置されたスリーブと接続し、他方の第２リング部４は換気口、エアコン用ケーブルやドレイパイプ挿通孔等である室内側部材と直接接続するよう構成することも可能である。
【００２７】
さらに、コンクリート構造物に関係なくスリーブの一方が熱変形等別の理由による変形を生じている場合にも利用可能である。
【図面の簡単な説明】
【００２８】
【図１】本発明の第１の実施例を示す接続具の斜視図である。
【図２】図１のＡ−Ａ線による断面図である。
【図３】本発明の第２の実施例を示す接続具の斜視図である。
【図４】図３のＢ−Ｂ線による断面図である。
【図５】本発明の第３の実施例を示す接続具の斜視図である。
【図６】本発明の第４の実施例を示す接続具の斜視図である。
【図７】従来の方法によるスリーブの接続状態を示す図である。
【符号の説明】
【００２９】
１  接続具
２  第１リング部
３  フランジ部
４  第２リング部
５  補強部
６  切れ込み
７  開放部
１０  鋏（切断具）
２０  コンクリート構造部側スリーブ
２１  コンクリート構造部
２２  延長スリーブ
【図１】
2005344841.tif 000003
【図２】
2005344841.tif 000004
【図３】
2005344841.tif 000005
【図４】
2005344841.tif 000006
【図５】
2005344841.tif 000007
【図６】
2005344841.tif 000008
【図７】
2005344841.tif 000009